(57)【特許請求の範囲】
【請求項１】
コンクリートブロックを人力で据え付けるための据付補助具であって、
作業者によって把持される把持部と、
上記把持部が引き上げ力を受けるに伴って張力が作用する張力部と、
上記張力部の張力によってコンクリートブロックの外側面に押圧され、この押圧に伴う摩擦によりコンクリートブロックに引き上げ力を与える摩擦部とを備え、
コンクリートブロックの外側面を取り囲むように配置される概ね長方形の無端部材を備え、
上記把持部が、上記無端部材の長辺部の略中央に設けられ、
上記張力部が、上記無端部材の長辺部の上記把持部の両側に形成され、
上記摩擦部が、上記無端部材の角部の内側面に設けられており、
上記無端部材の短辺部の外側面に、低摩擦部材が設けられていることを特徴とするコンクリートブロックの据付補助具。
【請求項２】
請求項１に記載のコンクリートブロックの据付補助具において、
上記把持部が、上記無端部材に両端が固定されて無端部材との間にループを形成する手提げ部材によって形成されていることを特徴とするコンクリートブロックの据付補助具。
【請求項３】
請求項１に記載のコンクリートブロックの据付補助具において、
上記把持部が、上記無端部材に固定されたグリップ部材によって形成されていることを特徴とするコンクリートブロックの据付補助具。
【請求項４】
請求項１に記載のコンクリートブロックの据付補助具において、
上記無端部材が、可撓性を有する帯状部材によって形成されていることを特徴とするコンクリートブロックの据付補助具。
【請求項５】
請求項１に記載のコンクリートブロックの据付補助具において、
上記無端部材が、金属又は非金属の繊維で形成された補強繊維と、この補強繊維の少なくとも一部を被覆するゴム材とを含んで形成されていることを特徴とするコンクリートブロックの据付補助具。
【請求項６】
請求項１に記載のコンクリートブロックの据付補助具において、
上記無端部材の短辺部が、コンクリートブロックを据え付ける基準に対して長辺方向に形成する隙間に対応する厚みに形成されていることを特徴とするコンクリートブロックの据付補助具。
【発明の詳細な説明】
【技術分野】
【０００１】
本発明は、例えば歩車道境界ブロック等のコンクリートブロックを人力で据え付けるための据付補助具に関する。
【背景技術】
【０００２】
従来、Ｕ字溝ブロックや縁石ブロック等のコンクリートブロックを扱うために、種々の道具が開発されている。例えば、Ｕ字溝ブロックの吊り具として、チェーンの下端に連結されたロッドと、このロッドに下端が揺動自在に枢着されて逆ハ字状を成す２つのハンドと、これら２つのハンドを開閉駆動するリンク機構を備えたものがある（例えば、特許文献１）。
【０００３】
この吊り具を用いてＵ字溝ブロックを据え付ける場合、次のような作業が行われる。まず、重機のフックにチェーンを介して吊り下げられ、２つのハンドを閉じた状態でＵ字溝内に配置される。この後、リンク機構の動作により２つのハンドが開き、各ハンドの先端がＵ字溝の内側面に当接する。この状態で重機がフックを引き上げることにより、２つのハンドの先端がＵ字溝ブロックの内側面に食い込んで係合し、ハンドからＵ字溝ブロックに引き上げ力が作用してＵ字溝ブロックが吊り上げられる。
【０００４】
上記吊り具で吊り上げられたＵ字溝ブロックは、重機によって運搬され、所定の荷下位置に下ろされる。荷下位置の地面には、支物（かいもの）が予め配置されており、この支物の上にＵ字溝ブロックが下ろされる。Ｕ字溝ブロックが荷下位置に下ろされると、吊り具の２つのハンドがリンク機構により閉じられ、ハンドの先端とＵ字溝ブロックとの係合が解除されて、Ｕ字溝ブロックから吊り具が取り外される。
【０００５】
吊り具が取り外されたＵ字溝ブロックは、人力によって所定の据付位置に運搬され、据え付けられる。すなわち、作業者が、支物上に配置されたＵ字溝ブロックの底部と地面との間に手を挿入し、底部に直接手を掛けてＵ字溝ブロックを持ち上げる。Ｕ字溝ブロックを持ち上げた作業者は、据付位置まで歩行してＵ字溝ブロックを運搬し、据付位置の地面にＵ字溝ブロックを下ろす。据付位置に下ろされたＵ字溝ブロックは、接地した状態で、バールを用いた作業者の操作により梃子の作用でずらされ、据付位置の調整が行われる。
【０００６】
据付位置の周辺においては、作業スペースの制限や、据付位置の精度確保のため、上述のような人力によるＵ字溝ブロックの運搬及び据え付けが必要となる。
【特許文献１】特開平０６−３１６９５７号公報
【発明の開示】
【発明が解決しようとする課題】
【０００７】
しかしながら、Ｕ字溝ブロックを人力で運搬するために、荷下位置に支物を準備し、支物の上にＵ字溝ブロックを下ろす作業は手間がかかるという問題がある。また、Ｕ字溝ブロックを持ち上げる際、Ｕブロックが支物から脱落する恐れがある。また、地面に近い底面に手を掛けてＵ字溝ブロックを持ち上げる動作は、作業者の身体的負担が大きく、特に、作業者の腰にダメージを与える恐れがある。建設業界においては作業者の高齢化が進みつつあることから、作業者への身体的負担を軽減する対策が強く求められる。
【０００８】
さらに、バールを用いた据付位置の調整は、微調整を行い難くて精度の確保が困難であるという問題がある。
【０００９】
そこで、本発明の課題は、人力によるコンクリートブロックの据付作業を効率化かつ安全に行うことができ、しかも、作業者の身体的負担を効果的に軽減でき、また、コンクリートブロックの据付位置の調整を精度良く行うことができるコンクリートブロックの据付補助具を提供することにある。
【課題を解決するための手段】
【００１０】
上記課題を解決するため、本発明のコンクリートブロックの据付補助具は、コンクリートブロックを人力で据え付けるための据付補助具であって、
作業者によって把持される把持部と、
上記把持部が引き上げ力を受けるに伴って張力が作用する張力部と、
上記張力部の張力によってコンクリートブロックの外側面に押圧され、この押圧に伴う摩擦によりコンクリートブロックに引き上げ力を与える摩擦部とを備え、
コンクリートブロックの外側面を取り囲むように配置される概ね長方形の無端部材を備え、
上記把持部が、上記無端部材の長辺部の略中央に設けられ、
上記張力部が、上記無端部材の長辺部の上記把持部の両側に形成され、
上記摩擦部が、上記無端部材の角部の内側面に設けられており、
上記無端部材の短辺部の外側面に、低摩擦部材が設けられていることを特徴としている。
【００１１】
上記構成によれば、作業者により把持部に引き上げ力が与えられると、張力部に張力が作用して摩擦部がコンクリートの外側面に押圧され、これに伴う摩擦力によりコンクリートブロックが引き上げられる。引き上げられたコンクリートブロックは、作業者により、据え付けが行われる。ここで、上記コンクリートブロックの据付補助具によれば、作業者が把持部に引き上げ力を与えることによってコンクリートブロックを引き上げることができるので、底部に手を掛けるために支物の上にコンクリートブロックを配置する必要が無い。したがって、コンクリートブロックを扱うための準備の手間を削減することができる。また、コンクリートブロックが支物から脱落する危険を防止できる。
【００１２】
また、作業者は、コンクリートブロックの底部に手を掛けて持ち上げる場合と比較して、直立に近い姿勢でコンクリートブロックを引き上げることができる。したがって、作業者の身体的負担を少なくでき、特に、作業者の腰のダメージを効果的に防止できる。
【００１３】
さらに、コンクリートブロックの据え付けを行う場合、作業者が把持部に引き上げ力を与えることにより、コンクリートブロックを引き上げて据付位置の調整を行うことができる。したがって、設置した状態のコンクリートブロックをバールでずらすよりも、高い精度で容易に調整を行うことができる。
【００１４】
また、本発明のコンクリートブロックの据付補助具は、把持部に与えられた引き上げ力を張力部の張力で摩擦部に伝達する。したがって、引き上げ力を圧縮力でハンドに伝達する吊り具と比較して、剛性の低い簡易な部品によって構成できる。さらに、本発明のコンクリートブロックの据付補助具は、重機による吊り作業に使用することを前提としていない。したがって、重機による吊り下げを前提とする吊り具と比較して、確保すべき強度が小さい。これらから、コンクリートブロックの据付補助具は、例えば非金属や柔軟な金属部品を用いることによって軽量化が可能であり、その結果、コンクリートブロックの据え付けを、人力により少ない身体的負担で行うことが可能となる。
【００１５】
ここで、本発明において、コンクリートブロックとは、縁石ブロック、溝用ブロック、擁壁ブロック及び護岸ブロック等をいい、種々の用途に供されるコンクリートの２次製品が広く該当する。
【００１６】
また、上記構成によれば、無端部材の長辺部の略中央に把持部を設けると共に、角部の内側面に摩擦部を設けることにより、簡易な構成の安価なコンクリートブロックの据付補助具が得られる。
【００１７】
また、この据付補助具をコンクリートブロックに装着する際、無端部材がコンクリートブロックの外側面を取り囲むように配置すればよいので、極めて容易に着脱作業を行うことができる。
【００１８】
また、上記構成によれば、コンクリートブロックを据付補助具により引き上げ、所定の基準に無端部材の短辺部が接するように配置した場合、低摩擦部材によって上記基準との間の摩擦が低減される。したがって、無端部材を容易に基準とコンクリートブロックとの間から抜き出すことができ、据え付けの完了したコンクリートブロックから容易に据付補助具を取り外すことができる。
【００１９】
ここで、上記低摩擦部材は、上記無端部材を形成するゴム材よりも摩擦係数の小さい材料で形成され、このような材料として、例えばフッ素樹脂や四フッ化エチレン樹脂等を用いることができる。また、低摩擦部材は、無端部材の表面に塗布された膜や、無端部材の表面に接着されたシート等の形態を採ることができる。
【００２０】
一実施形態のコンクリートブロックの据付補助具は、上記把持部が、上記無端部材に両端が固定されて無端部材との間にループを形成する手提げ部材によって形成されている。
【００２１】
上記実施形態によれば、作業者は、手提げ部材を把持して引き上げることにより、身体的負担が少ない状態でコンクリートブロックを引き上げることができる。特に、上記手提げ部材の作業者に把持される部分と上記無端部材との間の長さを、コンクリートブロックの寸法等に応じて適宜設定することにより、特に、作業員の腰への負担軽減を行うことができる。
【００２２】
一実施形態のコンクリートブロックの据付補助具は、上記把持部が、上記無端部材に固定されたグリップ部材によって形成されている。
【００２３】
上記実施形態によれば、作業者は、上記グリップ部材を把持して引き上げることにより、身体的負担が少ない状態でコンクリートブロックを引き上げることができる。また、無端部材にグリップ部材を固定するという簡単な構造により、容易かつ安価に把持部を形成できる。
【００２４】
一実施形態のコンクリートブロックの据付補助具は、上記無端部材が、可撓性を有する帯状部材によって形成されている。
【００２５】
上記実施形態によれば、把持部に引き上げ力が作用するに伴い、無端部材がコンクリートブロックの外形に沿って変形できるので、種々の形状のコンクリートブロックに適用することができる。また、把持部に引き上げ力が作用するに伴い、無端部材の摩擦部の周辺部分が、コンクリートブロックの外側面に沿うように変形できるので、摩擦部を効果的にコンクリートブロックの外側面に押圧して摩擦を生じさせ、コンクリートブロックを安定して引き上げることができる。また、作業者が把持部に引き上げ力を作用させる際に、コンクリートブロックの体感重量を和らげることができ、作業者の身体的負担を少なくすることができる。また、無端部材で形成される張力部に緩衝機能を付与できるので、コンクリートブロックの引き上げや据え付けに伴う振動や衝撃を緩和して、各作業を行う際の作業者の身体的負担を軽減することができる。
【００２６】
一実施形態のコンクリートブロックの据付補助具は、上記無端部材が、金属又は非金属の繊維で形成された補強繊維と、この補強繊維の少なくとも一部を被覆するゴム材とを含んで形成されている。
【００２７】
上記実施形態によれば、金属又は非金属の繊維で形成された補強繊維を心材に用いることにより、無端部材の強度を確保しつつコンクリートブロックの据付補助具の軽量化を行うことができる。また、補強繊維をゴム材で被覆することにより、無端部材の耐久性を高めることができると共に、コンクリートブロックの損傷を防止できる。
【００２８】
上記補強繊維は、スチール等からなる金属繊維や、ナイロン、ポリエステル、アラミド及びカーボンファイバー等からなる非金属繊維等の種々の材料を用いることができる。また、上記ゴム材は、天然ゴム、クロロプレンゴム、スチレン・ブタジエンゴム又はイソプレンゴム等の種々の材料を用いることができる。
【００２９】
上記無端部材は、補強繊維の全部がゴム材で被覆されているのが好ましいが、少なくとも摩擦部が設けられる角部の周辺部にゴム材が被覆されていればよい。
【００３０】
また、上記摩擦部は、無端部材のゴム材を兼用してもよいが、無端部材のゴム材よりも高い耐摩耗性を有する耐磨耗部材を、無端部材の角部の内側面に固定して形成されるのが好ましい。耐摩耗部材としては、例えばアクリルゴムやスチレン・ブタジエンゴムで形成された板状体や塊体を用いることができる。
【００３１】
一実施形態のコンクリートブロックの据付補助具は、上記無端部材の短辺部が、コンクリートブロックを据え付ける基準に対して長辺方向に形成する隙間に対応する厚みに形成されている。
【００３２】
上記実施形態によれば、コンクリートブロックを据付補助具で引き上げ、基準としての例えば先に据え付けられたコンクリートブロックの端面に、無端部材の短辺部の外側面を接触させた状態で配置する。これにより、先に据え付けられたコンクリートブロックに対して、無端部材の短辺部の厚みに応じた隙間をおいてコンクリートブロックを据え付けることができる。したがって、コンクリートブロックの据え付け位置を測量により予め特定しなくても、無端部材の短辺部の外側面を上記基準に接触させた状態で配置するという極めて容易な作業により、比較的良好な精度の隙間を形成してコンクリートブロックを据え付けることができる。その結果、コンクリートブロックの据え付け作業の簡易化を図ることができる。なお、コンクリートブロックを据え付ける基準は、先に据え付けられたコンクリートブロック以外に、既存の構造物や、水糸や、ぬき板等であってもよい。
【発明の効果】
【００３３】
本発明によれば、把持部と、把持部への引き上げ力の作用に伴って張力が作用する張力部と、張力部への張力の作用に伴う摩擦によりコンクリートブロックを引き上げる摩擦部とを備えた簡単な構成により、少ない身体的負担で人力によるコンクリートブロックの据え付けが可能となる。したがって、作業者の高齢化が進みつつある建設業界において、コンクリートブロックの据付作業の効率化を無理なく実現することができる。
【発明を実施するための最良の形態】
【００３４】
以下、本発明の実施形態のコンクリートブロックの据付補助具（以下、単に「据付補助具」と略称する）を、添付の図面を参照しながら説明する。本実施形態では、コンクリートブロックとしての歩車道境界ブロックを据え付けるための据付補助具を例示して説明する。
【００３５】
図１は据付補助具１を示す斜視図であり、図２は据付補助具１の使用状態を示す斜視図である。図３Ａ乃至３Ｃは、据付補助具１により歩車道境界ブロック６を引き上げる工程を示した図である。図４は、先に据え付けられた歩車道境界ブロック１６に隣接して歩車道境界ブロック６を据え付ける様子を示す図である。図５Ａは無端部材１の角部の短辺部における断面図であり、図５Ｂは無端部材３と手提げ部材２との連結部における断面図である。
【００３６】
本実施形態の据付補助具１は、図１に示すように、把持部としての手提げ部材２と、長方形の無端部材３と、無端部材３の角部の内側面に固定された摩擦部としての耐摩耗部材４と、無端部材３の短辺部の外側面に設けられた低摩擦部材５とで構成されている。
【００３７】
手提げ部材２及び無端部材３は、図１、図５Ａ及び図５Ｂに示すように、補強繊維２２，３２にゴム材２３,３３を被覆してなる帯状部材で形成されている。補強繊維２２,３２はスチールで形成され、ゴム材２３,３３は天然ゴムで形成されている。手提げ部材２及び無端部材３を、補強繊維２２，３２及びゴム材２３,３３で形成することにより、据付補助具１の強度を確保しつつ軽量化を行うことができる。また、無端部材３の表面をゴム材３３とすることにより、無端部材３の耐久性を高めることができると共に、歩車道境界ブロック６の表面の損傷を防止できる。ここで、無端部材３は、補強繊維３２の全部にゴム材３３が被覆されているが、耐摩耗部材４が設けられる角部の周辺部にゴム材３３を被覆し、角部の周辺部以外の部分は補強繊維３２を露出させてもよい。また、無端部材３は、ゴム材２３，３３に替えて、例えばナイロン樹脂等の可撓性を有する材料を補強繊維３２に被覆して形成してもよい。
【００３８】
なお、補強繊維２２,３２は、スチール以外の他の金属で形成してもよく、また、ナイロン、ポリエステル、アラミド及びカーボンファイバー等からなる非金属繊維であってもよい。また、ゴム材２３,３３は、天然ゴム以外に、クロロプレンゴム、スチレン・ブタジエンゴム又はイソプレンゴム等で形成してもよい。
【００３９】
手提げ部材２は、無端部材３の２つの長辺部に対向して配置されており、両端が無端部材３に固定されて無端部材３との間に台形状のループを形成している。手提げ部材２は、手提げ部材２の台形状のループの上底に相当する部分が、作業者によって把持される把持部２１になっている。手提げ部材２の把持部２１は、この把持部２１の両側に連なって台形の斜辺に相当する部分に対して折り曲げられており、使用状態において表面が水平になるように形成されている。これにより、把持部２１が把持され易く、また、２つの手提げ部材２の把持部２１が重なり合った状態で把持されることが可能になっている。その結果、作業者が、把持部２１に引き上げ力を容易かつ安定に作用させることが可能になっている。
【００４０】
無端部材３は、内側面が歩車道境界ブロック６の外側面に沿うように、長方形に形成されている。無端部材３には、２つの長辺部の中央に手提げ部材２が固定されている。無端部材３の長辺部は、手提げ部材２が固定された位置から短辺側の両方の部分が張力部３１，３１になっている。無端部材３の長辺部の長さは、据付対象の歩車道境界ブロック６の長さよりも大きく形成されている。これにより、歩車道境界ブロック６を引き上げた状態で、図２に示すように、張力部３１，３１の水平面に対する角度θが５〜４０°となるように形成されている。すなわち、この据付補助具１は、引き上げの際に張力部３１の水平面に対してなす角度θが５〜４０°となる大きさの歩車道境界ブロックの据え付けに用いることができる。ここで、張力部３１，３１の水平面に対する角度θは、２０〜３０°となるように形成されているのが好ましい。張力部３１，３１の角度θを２０〜３０°とすることにより、耐摩耗部材４から歩車道境界ブロック６へ作用させる押圧力と引き上げ力を、適切に配分することができる。
【００４１】
無端部材３の短辺部は、歩車道境界ブロック６の据付間隔に応じた厚みに形成されている。本実施形態では、後述のように、歩車道境界ブロック６を８ｍｍの間隔をおいて据え付けるために、無端部材３の短辺部の厚みを６〜７ｍｍに形成している。これと共に、無端部材３の角部の内側面に固定された耐磨耗部材４の厚みを１〜２ｍｍに形成している。これにより、図４に示すように、据付補助具１で引き上げられて据え付けを行う歩車道境界ブロック６を、先に据え付けられた歩車道境界ブロック１６の端面に無端部材３の短辺部の外側面を接触させて据え付けることにより、歩車道境界ブロック６，１６の相互の間隔ｄが８ｍｍとなるように形成されている。
【００４２】
耐磨耗部材４は、図１及び図５Ａに示すように、長方形の無端部材３が有する４つの角部の内側面に夫々接着されている。耐摩耗部材４は、アクリルゴムの板状体で形成され、無端部材３の角部の内側面に、短辺部と長辺部との境界の周辺を覆うように接着されている。なお、耐磨耗部材４は、無端部材３を被覆するゴム材３３よりも耐磨耗性の高い材料で形成されていればよく、アクリルゴム以外に、例えばスチレン・ブタジエンゴム等を用いることができる。また、板状体以外に、Ｌ字断面を有する塊体で耐磨耗部材４を形成してもよい。また、耐磨耗部材４は、無端部材３と別体である必要は無く、無端部材３の角部の内側面を被覆するゴム材３３の部分によって兼用してもよい。
【００４３】
低摩擦部材５は、図１及び図５Ａに示すように、長方形の無端部材３が有する短辺部の外側面に塗布されたフッ素樹脂により形成されている。なお、低摩擦部材５は、無端部材３のゴム材３３よりも摩擦係数の小さい材料で形成されていればよく、フッ素樹脂以外に、例えば四フッ化エチレン樹脂等を用いることができる。また、これらの材料で形成されたシートで低摩擦部材５を形成してもよい。
【００４４】
次に、上記構成を有する据付補助具１を用いて歩車道境界ブロック６を据え付ける方法を説明する。
【００４５】
この歩車道境界ブロック６は、縁石ブロックの一種であり、車道と歩道との境界に配置されて、車道に対して段差を形成して歩道を形成するものである。この歩車道境界ブロック６は、幅×高さ×長さが２０５ｍｍ×２５０ｍｍ×６００ｍｍの寸法を有し、約６５ｋｇの重さを有する。この歩車道境界ブロック６の据付に用いる据付補助具１は、幅×長さが２２０ｍｍ×６１０ｍｍの寸法に形成されている。また、無端部材３は、高さ（帯状体の幅）が約２５ｍｍに形成され、厚みが約６ｍｍに形成されている。なお、本実施形態の据付補助具１によれば、他の寸法及び重さの歩車道境界ブロック６の据え付けを行うこともできる。他の寸法及び重さの歩車道境界ブロック６として、幅×高さ×長さが１７０ｍｍ×２００ｍｍ×６００ｍｍの寸法を有し、約４３ｋｇの重さを有するものや、幅×高さ×長さが２１０ｍｍ×３００ｍｍ×６００ｍｍの寸法を有し、約８０ｋｇの重さを有するものを据え付けることができる。据付補助具１は、可撓性を有し、また、張力部３１が水平面に対して所定範囲の角度θをなして歩車道境界ブロック６を引き上げるので、種々の寸法及び重さの歩車道境界ブロック６の据え付けが可能である。
【００４６】
まず、歩車道境界ブロック６が搬入され、重機等で荷下位置に荷下ろしされる。荷下位置では、支物を用いることなく、歩車道境界ブロック６が地面に直接配置される。続いて、図３Ａに矢印Ａで示すように、歩車道境界ブロック６の上方から、手提げ部材２を上側に向けた状態で据付補助具１を装着する。ここで、無端部材３が歩車道境界ブロック６の下部の外側面を取り囲むように据付補助具１を装着する。引き続いて、据付補助具１の手提げ部材２の把持部２１を作業者が把持し、図３Ｂの矢印Ｂで示すように、手提げ部材２に上向きの引き上げ力を作用させる。これにより、図３Ｃに示すように、無端部材３の張力部３１に張力（矢印Ｃ）が作用し、これに伴って張力部３１が伸びると共に、無端部３１の角部の内側面に設けられた耐磨耗部材４が歩車道境界ブロック６の端面に向かって押圧される。この押圧力に伴う摩擦により、歩車道境界ブロック６が荷下位置の地面から引き上げられる。
【００４７】
歩車道境界ブロック６が引き上げられると、作業者により歩車道境界ブロック６の姿勢や位置が調整され、所定の据付位置に下ろされる。据付位置には、他の歩車道境界ブロック１６が先に据え付けられている。作業者により、据付補助具１の無端部材３の短辺部の外側面が上記歩車道境界ブロック１６の端面に接触され、この状態で、歩車道境界ブロック６が据え付け面に下ろされる。これにより、図４に示すように、先に据え付けられた歩車道境界ブロック１６に対して８ｍｍの間隔ｄをおいて歩車道境界ブロック６が据え付けられる。歩車道境界ブロック６が据え付けられると、歩車道境界ブロック６に装着された据付補助具１を取り外し、歩車道境界ブロック６の据付作業が完了する。
【００４８】
本実施形態の据付補助具１によれば、作業者が把持部２１に引き上げ力を与えることにより、張力部３１に張力を生じさせて耐磨耗部材４を歩車道境界ブロック６の外側面に押圧し、これに伴う摩擦によって歩車道境界ブロック６を引き上げるので、従来のように、底部に手を掛けるために支物の上に歩車道境界ブロックを配置する必要が無い。したがって、据え付けの準備の手間を削減することができ、また、支物から歩車道境界ブロックが脱落する危険を防止できる。
【００４９】
また、据付補助具１が歩車道境界ブロック６の下部を取り巻くように装着され、手提げ部材２の上端の把持部２１に引き上げ力を与えることにより、歩車道境界ブロック６を引き上げることができるので、従来のように歩車道境界ブロックの底部に手を掛けて持ち上げる場合と比較して、直立に近い姿勢で歩車道境界ブロック６を引き上げることができる。したがって、作業者の身体的負担を少なくでき、特に、作業者の腰のダメージを効果的に防止できる。
【００５０】
また、歩車道境界ブロック６の据え付けを行う際、作業者が把持部２１に引き上げ力を与えることにより、歩車道境界ブロック６を引き上げて据付位置の調整を行うことができるので、従来のようにバールを用いて歩車道境界ブロックをずらすよりも、高い精度で容易に調整を行うことができる。
【００５１】
また、本実施形態の据付補助具１は、把持部２１に与えられた引き上げ力を張力部３１の張力として耐磨耗部材４に伝達するので、引き上げ力を圧縮力としてハンドに伝達する吊り具のように、剛な金属部材で構成する必要が無い。さらに、本実施形態の据付補助具１は、重機による吊り作業に使用することを前提としていないので、確保すべき強度が比較的小さい。したがって、据付補助具１は、柔軟な補強繊維２２，３２及びゴム材２３,３３を主な部材として用いることにより、軽量化を図ることができる。その結果、歩車道境界ブロック６の据え付けを、人力により少ない身体的負担で行うことが可能となる。また、構造が簡単であるので、安価に製造することができる。
【００５２】
また、本実施形態の据付補助具１は、無端部材３が補強繊維３２及びゴム材３３で形成されて可撓性を有するので、把持部２１に引き上げ力が作用するに伴い、無端部材３の耐摩耗部材４の周辺部分が歩車道境界ブロック６の外側面に沿うように変形する。これにより、耐摩耗部材４を効果的に歩車道境界ブロック６の外側面に押圧し、歩車道境界ブロック６を安定して引き上げることができる。また、無端部材３が可撓性を有するので、作業者が把持部２１に引き上げ力を作用させる際に、歩車道境界ブロック６の体感重量を和らげることができ、作業者の身体的負担を少なくすることができる。さらに、無端部材３が可撓性を有することにより、張力部３１に緩衝機能を付与できるので、歩車道境界ブロック６の引き上げや据え付けに伴う振動や衝撃を緩和して、各作業を行う際の作業者の身体的負担を軽減することができる。さらに、主要な部材である手提げ部材２及び無端部材３が可撓性を有することにより、据付補助具１をコンパクトに畳むことができ、取り扱いと収納の容易化を行うことができる。
【００５３】
また、本実施形態の据付補助具１は、無端部材３の短辺部の厚みを所定の厚みに形成したので、先に据え付けられた歩車道境界ブロック１６の端面に無端部材３の短辺部の外側面を接触させて据え付けることにより、歩車道境界ブロック１６に対して所定の隙間をおいて歩車道境界ブロック６を据え付けることができる。したがって、歩車道境界ブロック６の据付位置を予め測量等により特定する必要が無いので、据え付け作業を簡略化することができる。
【００５４】
また、据付補助具１の短辺部の外側面に低摩擦部材５を設けたので、歩車道境界ブロック１６の端面に無端部材３の短辺部の外側面を接触させて歩車道境界ブロック１６を据え付けたとき、低摩擦部材５によって歩車道境界ブロック１６の端面との間の摩擦を効果的に低減し、無端部材３を容易に歩車道境界ブロック６，１６の相互間から抜き出すことができる。したがって、据え付けの完了した歩車道境界ブロック６から容易に据付補助具１を取り外すことができる。
【００５５】
上記実施形態において、無端部材３に手提げ部材２を固定し、手提げ部材２の上端に把持部２１を形成したが、図６の変形例に示すように、無端部材３の長辺部の中央にグリップ部材１２を固定して把持部を形成してもよい。図６において、変形例の据付補助具１０は、グリップ部材１２以外の部分は実施形態の据付補助具１と同様の構成を有し、実施形態の据付補助具１と同一の構成部分には同一の参照番号を付している。変形例の据付補助具１０は、無端部材３の表面に更にゴム部材を巻き付けることにより、グリップ部材１２が形成されている。グリップ部材１２の表面には、滑り止めのために凹凸加工が施されている。変形例の据付補助具１０によれば、無端部材３に把持部を直接設けることにより、更なる軽量化と小型化を行うことができる。
【００５６】
上記実施形態では、据付補助具１を歩車道境界ブロック６の据え付けに用いた例を説明したが、本発明の据付補助具は、歩車道境界ブロック６に限られず、他の縁石ブロック、溝用ブロック、擁壁ブロック及び護岸ブロック等の種々のコンクリートブロックの据え付けに適用可能である。
【図面の簡単な説明】
【００５７】
【図１】本発明の実施形態の据付補助具を示す斜視図である。
【図２】据付補助具の使用状態を示す斜視図である。
【図３Ａ】据付補助具により歩車道境界ブロックを引き上げる工程を示す図である。
【図３Ｂ】図３Ａに続く工程を示す図である。
【図３Ｃ】図３Ｂに続く工程を示す図である。
【図４】先に据え付けられた歩車道境界ブロックに隣接して歩車道境界ブロックを据え付ける様子を示す図である。
【図５Ａ】無端部材の角部の短辺部における断面図である。
【図５Ｂ】無端部材と手提げ部材との連結部における断面図である。
【図６】据付補助具の変形例を示す図である。
【符号の説明】
【００５８】
１  据付補助具
２  手提げ部材
３  無端部材
４  耐摩耗部材
５  低摩擦部材
６，１６  歩車道境界ブロック
【要約】
【課題】人力によるコンクリートブロックの据え付けが可能であり、据付作業を効率的かつ安全に行うことができ、しかも、作業者の身体的負担を効果的に軽減できるコンクリートブロックの据付補助具を提供すること。
【解決手段】据付補助具１は、歩車道境界ブロック６の外側面を取り囲むように配置される長方形の無端部材３と、無端部材３の長辺部の中央に固定された手提げ部材２と、無端部材３の角部の内側面に設けられた耐磨耗部材４と、無端部材３の短辺部の外側面に設けられた低摩擦部材５を備える。手提げ部材２の把持部２１に作業者が引き上げ力を作用させるに伴い、無端部材３の張力部３１に張力が作用し、耐磨耗部材４が歩車道境界ブロック６の外側面を押圧するに伴う摩擦によって歩車道境界ブロック６が引き上げられる。
【選択図】図１【図１】
0004183743.tif 000002
【図２】
0004183743.tif 000003
【図３Ａ】
0004183743.tif 000004
【図３Ｂ】
0004183743.tif 000005
【図３Ｃ】
0004183743.tif 000006
【図４】
0004183743.tif 000007
【図５Ａ】
0004183743.tif 000008
【図５Ｂ】
0004183743.tif 000009
【図６】
0004183743.tif 000010